(57)【要約】【課題】給湯回路において給湯が停止された後に再度給湯が実行された際に設定温度よりも高温の湯水が出湯されることを抑制できる給湯装置を提供する。【解決手段】給湯装置１は、缶体１０と、バーナ１１と、給湯回路２と、風呂追焚回路３とを備えている。給湯回路２の二次熱交換器２２は、第１の一次熱交換器２１よりも鉛直方向において上方に配置されている。風呂追焚回路３は第２の一次熱交換器３２を有する。給湯回路２の入水路２４は、二次熱交換器２２とバイパス路１８との間に配置され、かつ鉛直方向において下方に延びてから上方に延びる湾曲部ＣＰを含む。【選択図】図１
2016056990.tif 000002
【特許請求の範囲】
【請求項１】
燃焼ガスの顕熱および潜熱を回収可能な給湯装置であって、
缶体と、
前記缶体内に配置され、前記燃焼ガスを供給するためのバーナと、
前記缶体内に配置され、前記バーナによって供給された前記燃焼ガスの顕熱を回収するための第１の一次熱交換器と、前記第１の一次熱交換器よりも鉛直方向において上方に配置され、前記第１の一次熱交換器に接続され、かつ前記燃焼ガスの潜熱を回収するための二次熱交換器と、前記二次熱交換器に接続され、前記給湯装置に入水するための入水路と、前記第１の一次熱交換器に接続され、前記給湯装置から出湯するための出湯路と、前記入水路と前記出湯路とを接続するバイパス路とを有する給湯回路と、
前記缶体内に配置され、前記バーナによって供給された前記燃焼ガスの顕熱を回収するための第２の一次熱交換器を有する他系統回路とを備え、
前記入水路は、前記二次熱交換器と前記バイパス路との間に配置され、かつ鉛直方向において下方に延びてから上方に延びる湾曲部を含む、給湯装置。
【請求項２】
前記第１の一次熱交換器よりも鉛直方向において下方に前記湾曲部の下端が位置している、請求項１に記載の給湯装置。
【請求項３】
前記湾曲部はＵ字形状を有している、請求項１または２に記載の給湯装置。
【請求項４】
前記湾曲部は、前記バイパス路側に配置され、かつ鉛直方向において下方に延びる下向部と、前記下向部に接続され、かつ前記下向部よりも前記二次熱交換器側に配置された中間部と、前記中間部に接続され、前記中間部よりも前記二次熱交換器側に配置され、かつ鉛直方向において上方に延びる上向部とを含み、
前記下向部と前記中間部とは直角に接続されており、前記中間部と前記上向部とは直角に接続されている、請求項１〜３のいずれか１項に記載の給湯装置。
【請求項５】
前記他系統回路は、浴槽に貯留された浴槽水を循環するためのものであって、
前記他系統回路は、前記浴槽から取り込んだ前記浴槽水を前記第２の一次熱交換器を通して再び前記浴槽に供給可能に前記浴槽に接続されている、請求項１〜４のいずれか１項に記載の給湯装置。
【発明の詳細な説明】
【技術分野】
【０００１】
本発明は、給湯装置に関し、特に、燃料ガスの顕熱および潜熱を回収可能な給湯装置に関するものである。
【背景技術】
【０００２】
従来、いわゆる１缶２水式給湯装置が使用されている。１缶２水式給湯装置は、１つの缶体内に２つの熱交換回路の熱交換器を備えている。２つの熱交換回路の各々の熱交換器は１つのバーナを共用して熱交換を実施する。２つの熱交換回路はたとえば給湯回路および風呂追焚回路である。特開２００１−９１０４８号公報（特許文献１）には、１つの缶体内に給湯回路および風呂追焚回路の各々の熱交換器を備えた１缶２水式給湯装置が開示されている。
【０００３】
また、熱効率を高めるために、燃焼排気ガスの顕熱を回収するための一次熱交換器と、燃焼排気ガスの潜熱を回収するための二次熱交換器とを備えた潜熱回収式給湯装置が実用化されている。
【０００４】
そして、上記の１缶２水式給湯装置と潜熱回収式給湯装置とを組み合わせた給湯装置も開発されている。
【先行技術文献】
【特許文献】
【０００５】
【特許文献１】特開２００１−９１０４８号公報
【発明の概要】
【発明が解決しようとする課題】
【０００６】
上記の１缶２水式給湯装置と潜熱回収式給湯装置とを組み合わせた給湯装置においては、給湯回路の二次熱交換器が一次熱交換器よりも上方に配置されることがある。一次熱交換器の出湯側と二次熱交換器の入水側とはバイパス路で接続される。このような給湯装置においては、給湯回路での給湯および風呂追焚回路での追焚きが同時に実行された状態から給湯が停止された際に、給湯回路を流れる湯水の慣性力によって一次熱交換器からバイパス路を通って二次熱交換器に湯水が流れ込む。さらに、風呂追焚回路での追焚きが実行されているため、バーナによって給湯回路の一次熱交換器が熱せられ、給湯回路の湯水が高温になる。また、給湯回路の二次熱交換器が一次熱交換器よりも上方に配置されているため、一次熱交換器からバイパス路を通って二次熱交換器に高温の湯水が対流する。したがって、給湯回路では給湯が停止されているにも関わらず給湯回路の湯水が高温になる。このため、給湯回路において給湯が停止された後に再度給湯が実行された際に設定温度よりも高温の湯水が出湯されるという問題がある。
【０００７】
本発明は、上記課題に鑑みてなされたものであり、その目的は、給湯回路において給湯が停止された後に再度給湯が実行された際に設定温度よりも高温の湯水が出湯されることを抑制できる給湯装置を提供することである。
【課題を解決するための手段】
【０００８】
本発明の給湯装置は、燃焼ガスの顕熱および潜熱を回収可能なものである。給湯装置は、缶体と、バーナと、給湯回路と、他系統回路とを備えている。バーナは、缶体内に配置され、燃焼ガスを供給するためのものである。給湯回路は、第１の一次熱交換器と、二次熱交換器と、入水路と、出湯路と、バイパス路とを有する。第１の一次熱交換器は、缶体内に配置され、バーナによって供給された燃焼ガスの顕熱を回収するためのものである。二次熱交換器は、第１の一次熱交換器よりも鉛直方向において上方に配置され、第１の一次熱交換器に接続され、かつ燃焼ガスの潜熱を回収するためのものである。入水路は二次熱交換器に接続され、給湯装置に入水するためのものである。出湯路は、第１の一次熱交換器に接続され、給湯装置から出湯するためのものである。バイパス路は入水路と出湯路とを接続する。他系統回路は缶体内に配置され、バーナによって供給された燃焼ガスの顕熱を回収するための第２の一次熱交換器を有する。入水路は、二次熱交換器とバイパス路との間に配置され、かつ鉛直方向において下方に延びてから上方に延びる湾曲部を含む。
【０００９】
本発明の給湯装置によれば、二次熱交換器とバイパス路との間に配置された入水路が鉛直方向において下方に延びてから上方に延びる湾曲部を含んでいる。したがって、湾曲部によって入水路の長さを長くすることができる。さらに、湯水を下方から上方に向かって流すことによって湯水を流れ難くすることができる。よって、給湯回路での給湯が停止された際に、給湯回路を流れる湯水の慣性力によって第１の一次熱交換器からバイパス路を通って二次熱交換器に流れ込む湯水が湾曲部よりも二次熱交換器側に流れることを抑制できる。また、湾曲部が鉛直方向において下方に延びるため、上方に移動する高温の湯水の対流を抑制できる。以上より、給湯回路において給湯が停止された後に再度給湯が実行された際に設定温度よりも高温の湯水が出湯されることを抑制できる。
【００１０】
上記の給湯装置においては、第１の一次熱交換器よりも鉛直方向において下方に湾曲部の下端が位置している。このため、湾曲部の下端を低い位置に配置することができる。これにより、湾曲部の下端から上方に向かって湯水を流れ難くすることができる。また、湾曲部の下端に高温の湯水が対流することを抑制できる。
【００１１】
上記の給湯装置においては、湾曲部はＵ字形状を有している。このため、湾曲部は、底と、底の両側に接続された延在部とを有する。これにより、湾曲部の長さを長くすることができる。
【００１２】
上記の給湯装置においては、湾曲部は、バイパス路側に配置され、かつ鉛直方向において下方に延びる下向部と、下向部に接続され、かつ下向部よりも二次熱交換器側に配置された中間部と、中間部に接続され、中間部よりも二次熱交換器側に配置され、かつ鉛直方向において上方に延びる上向部とを含んでいる。下向部と中間部とは直角に接続されており、中間部と上向部とは直角に接続されている。このため、下向部から中間部に湯水が回り込み難くすることができ、かつ中間部から上向部に湯水が回り込み難くすることができる。
【００１３】
上記の給湯装置においては、他系統回路は、浴槽に貯留された浴槽水を循環するためのものである。他系統回路は、浴槽から取り込んだ浴槽水を第２の一次熱交換器を通して再び浴槽に供給可能に浴槽に接続されている。このため、他系統回路を風呂追焚回路とすることによって浴槽水を追焚きすることができる。
【発明の効果】
【００１４】
以上説明したように、本発明によれば、給湯回路において給湯が停止された後に再度給湯が実行された際に設定温度よりも高温の湯水が出湯されることを抑制できる給湯装置を提供することができる。
【図面の簡単な説明】
【００１５】
【図１】本発明の一実施の形態における給湯システムの構成を概略的に示す作動原理図である。
【図２】本発明の一実施の形態における給湯装置の構成を概略的に示す構成図である。
【図３】本発明の一実施の形態における給湯装置の入水管の構成を概略的に示す斜視図である。
【図４】比較例における給湯システムの構成を概略的に示す作動原理図である。
【図５】比較例の入水管の構成を概略的に示す斜視図である。
【発明を実施するための形態】
【００１６】
以下、本発明の実施の形態について図に基づいて説明する。
まず、図１を参照して、本発明の一実施の形態の給湯システムの構成を説明する。なお、図１は給湯装置１を正面側から見た図であり、図２は給湯装置１を背面側から見た図である。
【００１７】
本実施の形態の給湯システムは、給湯装置１と、浴槽１００とを有している。本実施の形態の給湯装置は１つの缶体内に２つの熱交換回路の熱交換器を備えている。また、本実施の形態の給湯装置１は、燃焼ガスの顕熱および潜熱を回収可能な給湯装置である。つまり、本実施の形態の給湯装置１は、１缶２水式給湯装置と潜熱回収式給湯装置とを組み合わせたものである。
【００１８】
本実施の形態の給湯装置１は、給湯器付き風呂釜である。以下、本実施の形態の給湯装置１では、他系統回路として風呂追焚回路を備えたものについて説明する。なお、他系統回路は、風呂追焚回路に限定されず、たとえば暖房回路であってもよい。また、他系統回路は、１つの回路に限定されず２つ以上の回路であってもよい。つまり、本発明は１缶２水式給湯装置に限定されず、１缶多水式給湯装置に適用することができる。
【００１９】
本実施の形態の給湯装置１は、筐体１ａと、給湯回路２と、風呂追焚回路（他系統回路）３と、注湯回路４と、缶体１０と、バーナ１１と、送風機１２と、排気集合筒１３と、消音器１４と、中和器１５と、燃料配管１６と、流量調整弁１７と、ポンプ１８とを備えている。
【００２０】
筐体１ａは、給湯回路２と、風呂追焚回路３と、注湯回路４と、缶体１０と、バーナ１１と、送風機１２と、排気集合筒１３と、消音器１４と、中和器１５と、燃料配管１６と、流量調整弁１７と、ポンプ１８とを収容している。また、筐体１ａは排気口ＥＰを有している。排気口ＥＰは顕熱および潜熱が回収された燃焼ガスを筐体１ａの外部に排気するためのものである。また、筐体１ａには給水のための入水口２０ａと給湯のための出湯口２０ｂとが設けられている。
【００２１】
給湯回路２は給湯を実現するためのものである。給湯回路２は給水圧により供給される湯水を加熱して供給するためのものである。給湯回路２は、第１の一次熱交換器２１と、二次熱交換器２２と、接続管２３と、入水路２４と、出湯路２５と、バイパス路２６とを主に有している。
【００２２】
第１の一次熱交換器２１は、バーナ１１によって供給された燃焼ガスの顕熱を回収するためのものである。第１の一次熱交換器２１は、缶体１０内に配置されている。高温の燃焼ガスとの熱交換によって第１の一次熱交換器２１内の湯水が加熱される。
【００２３】
二次熱交換器２２は、燃焼ガスの潜熱を回収するためのものである。二次熱交換器２２は、第１の一次熱交換器２１よりも鉛直方向において上方に配置されている。二次熱交換器２２は第１の一次熱交換器２１に接続されている。具体的には第１の一次熱交換器２１の一方端と二次熱交換器２２の一方端とは互いに接続管２３によって接続されている。第１の一次熱交換器２１で熱交換した後の燃焼ガスが二次熱交換器２２へ通されることで二次熱交換器２２内の湯水が予熱される。この過程で燃焼ガスの温度が６０℃程度まで下がることで、燃焼ガス中に含まれる水分が凝縮して潜熱を得ることができる。
【００２４】
入水路２４は給湯装置１に入水するためのものである。入水路２４は二次熱交換器２２に接続されている。また、入水路２４は入水口２０ａに接続されている。入水口２０ａは水道などに通じている。入水路２４は入水口２０ａと二次熱交換器２２とを接続している。入水路２４は、入水管２４ａと、分配弁２７と、水量センサ２８と、温度センサ２９とを有している。入水管２４ａは入水口２０ａから二次熱交換器２２に給水可能に構成されている。分配弁２７は入水路２４からバイパス路２６に給水を分配可能に構成されている。分配弁２７の開度に応じて、給水量の一部が入水路２４からバイパス路２６へ分流される。水量センサ２８は給水量を検出可能に構成されている。分配弁２７で分流された給水量が水量センサ２８で検出される。温度センサ２９は入水温度を検知可能に構成されている。分配弁２７を通る湯水の入水温度が温度センサ２９で検出される。
【００２５】
また、入水路２４は、湾曲部ＣＰを含んでいる。湾曲部ＣＰは、二次熱交換器２２とバイパス路２６との間に配置されている。湾曲部ＣＰは、鉛直方向において下方に延びてから上方に延びるように構成されている。
【００２６】
出湯路２５は給湯装置１から出湯するためのものである。出湯路２５は第１の一次熱交換器２１に接続されている。また、出湯路２５は出湯口２０ｂに接続されている。出湯口２０ｂは給湯栓２００に接続されている。出湯路２５は出湯口２０ｂと第１の一次熱交換器２１とを接続している。入水口２０ａから給水された水は、第１の一次熱交換器２１および二次熱交換器２２を通過する際に燃焼ガスによって加熱されて出湯口２０ｂから給湯される。出湯路２５は、出湯管２５ａと、水量サーボＷＳとを有している。出湯管２５ａは第１の一次熱交換器２１から出湯口２０ｂに湯水を供給可能に構成されている。水量サーボＷＳは、出湯口２０ｂから出湯される流量を制御可能に構成されている。
【００２７】
バイパス路２６は入水路２４と出湯路２５とを接続する。バイパス路２６はバイパス管２６ａを有している。バイパス路２６は入水路２４の分配弁２７と出湯路２５の出湯管２５ａとに接続されている。バイパス路２６は合流部ＪＰにおいて出湯路２５と接続されている。したがって、合流部ＪＰでは、出湯路２５から供給された高温の湯水と、バイパス路２６から供給された水とが混合される。これにより、適温の湯水が、給湯栓２００または浴槽１００に通じる注湯回路４に供給される。
【００２８】
風呂追焚回路３は風呂追焚機能を実現するためのものである。風呂追焚回路３は浴槽１００の湯水を追焚きするためのものである。風呂追焚回路３は、浴槽１００に貯留された浴槽水を循環するためのものである。給湯装置１と浴槽１００との間は、風呂戻り配管１０１および風呂往き配管１０２によって接続されている。風呂戻り配管１０１および風呂往き配管１０２はそれぞれ風呂追焚回路３に接続されている。風呂戻り配管１０１の上流端は、浴槽１００に設置された循環アダプタ１０３の吸込側に接続されている。また、風呂往き配管１０２の下流端は、循環アダプタ１０３の吐出側に接続されている。
【００２９】
風呂追焚回路３は、配管３１と、第２の一次熱交換器３２と、循環ポンプ３３と、水流スイッチ３４と、水位センサ３５と、温度センサ３６とを有している。第２の一次熱交換器３２は、バーナ１１によって供給された燃焼ガスの顕熱を回収するためのものである。第２の一次熱交換器３２は、缶体１０内に配置されている。高温の燃焼ガスとの熱交換によって第２の一次熱交換器３２内の湯水が加熱される。風呂追焚回路３は、浴槽１００から取り込んだ浴槽水を第２の一次熱交換器３２を通して再び浴槽１００に供給可能に浴槽１００に接続されている。
【００３０】
循環ポンプ３３は湯水を風呂追焚回路３内に循環可能に構成されている。循環ポンプ３３が運転されると、浴槽１００の浴槽水は、循環アダプタ１０３の吸込口から、風呂戻り配管１０１、第２の一次熱交換器３２、風呂往き配管１０２を経由して、循環アダプタ１０３の吐出口へ至る経路を循環する。風呂追焚回路３を循環する浴槽水が第２の一次熱交換器３２で加熱されることによって追焚機能が実現される。
【００３１】
水流スイッチ３４は循環ポンプ３３の下流側に配置されている。水流スイッチ３４は風呂追焚回路３を流れる湯水の水流を検知可能に構成されている。温度センサ３６は風呂追焚回路３を流れる湯水の温度を計測可能に構成されている。水位センサ３５は風呂戻り配管１０１に接続されている。水位センサ３５は浴槽１００内の浴槽水の水位を測定可能に構成されている。
【００３２】
注湯回路４は風呂湯張り機能を実現するためのものである。注湯回路４は浴槽１００に湯水を供給するためのものである。注湯回路４は、配管４１と、注湯電磁弁４２と、水量センサ４３と、逆止弁４４と、逆流防止弁４５とを有している。水量サーボＷＳに配管４１、水量センサ４３を経由して注湯電磁弁４２が接続されている。注湯電磁弁４２は、開閉制御されて、給湯回路２から、注湯回路４および風呂追焚回路３へ、湯水の供給および停止を実施可能に構成されている。水量センサ４３は水量サーボＷＳを経由して給湯回路２から注湯回路４に供給される湯水の量を検知する。逆止弁４４は注湯電磁弁４２に接続されている。逆止弁４４は、注湯回路４および風呂追焚回路３に供給された湯水が水量サーボＷＳ側に逆流することを防止できる。
【００３３】
逆流防止弁４５は、上水の給水元側の圧力（１次圧）と供給先側の圧力（２次圧）との圧力差により通常はオーバーフロー口を閉止するものである。逆流防止弁４５は１次圧を導入するために配管５０を通じて分配弁２７に接続され、かつ２次圧を導入するために逆止弁４４を通じて注湯電磁弁４２に接続されている。
【００３４】
缶体１０は、バーナ１１と、第１の一次熱交換器２１と、第２の一次熱交換器３２とを収容している。バーナ１１は、缶体１ａ内に配置され、燃焼ガスを供給するためのものである。バーナ１１は、第１の一次熱交換器２１、第２の一次熱交換器３２および二次熱交換器２２との間で熱交換を行なうための燃焼ガスを発生させて第１の一次熱交換器２１、第２の一次熱交換器３２および二次熱交換器２２に供給するためのものである。
【００３５】
バーナ１１は、灯油などの液体燃料を下向きに噴霧して燃焼させる逆燃式の装置である。具体的にはバーナ１１はたとえばガンタイプバーナである。バーナ１１は、燃料ノズル１１ａおよび点火器１１ｂを有している。バーナ１１は、図示しない燃料タンクから燃料配管１６、流量調整弁１７およびポンプ１８を経由して燃料ノズル１１ａから供給された燃料に点火器１１ｂで着火することにより燃料を燃焼させて燃焼ガスを発生させるように構成されている。
【００３６】
缶体１０に送風機１２が取り付けられている。送風機１２はバーナ１１に対して燃焼に必要な空気を供給するためのものである。送風機１２は、バーナ１１の上方から燃焼用空気を下向きに供給可能に構成されている。具体的には送風機１２はたとえばファンである。
【００３７】
排気集合筒１３および消音器１４は一連に繋がった燃焼ガス流路を構成している。排気集合筒１３は第１の一次熱交換器２１および第２の一次熱交換器３２の下流側に位置している。消音器１４は排気集合筒１３の下流側に位置している。バーナ１１で発生した燃焼ガスは、第１の一次熱交換器２１および第２の一次熱交換器３２の周囲を通過して第１の一次熱交換器２１および第２の一次熱交換器３２内の湯水と熱交換した後、排気集合筒１３を通って消音器１４に送られ、排気口ＥＰから筐体１ａ外に排出される。
【００３８】
上記のとおり二次熱交換器２２において燃焼ガスの水蒸気を凝縮させる構造上、凝縮した水（ドレン）が発生するためドレンの排水が必要である。二次熱交換器２２の下側に中和器１５が配置されており、二次熱交換器２２から中和器１５にドレンが排水される。燃焼ガス中には窒素酸化物などが含まれるため、これがドレンに溶け込んでドレンは酸性となる。中和器１５はこの酸性のドレンを中和するためのものである。中和器１５内には酸性のドレンを中和するための中和剤が充填されている。中和器１５で中和されたドレンは図示しない排水路を通って筐体１ａ外に排出される。
【００３９】
続いて、本実施の形態の湾曲部ＣＰの構成について詳しく説明する。
図２を参照して、湾曲部ＣＰは、筐体１ａの側面と缶体１０との間に配置されている。湾曲部ＣＰは缶体１０に対して消音器１４と反対側に配置されている。湾曲部ＣＰは、鉛直方向においてバーナ１１の下端から缶体１０の下端に渡って形成されている。第１の一次熱交換器２１よりも鉛直方向ＶＤにおいて下方に湾曲部ＣＰの下端が位置している。具体的には湾曲部ＣＰの下端は、第１の一次熱交換器２１の受熱管２１ａよりも鉛直方向ＶＤにおいて下方に位置している。なお、第１の一次熱交換器２１の受熱管２１ａが複数段で構成されている場合には、湾曲部ＣＰの下端は、バーナ１１に近い側に配置された上段の受熱管２１ａよりも鉛直方向ＶＤにおいて下方に位置していればよい。また、湾曲部ＣＰはＵ字形状を有している。
【００４０】
図１および図３を参照して、入水管２４ａの一方端ＥＰ１は水量センサ２８に接続されており、入水管２４ａの他方端ＥＰ２は二次熱交換器２２に接続されている。図中矢印で示すように、湯水は入水管２４ａに一方端ＥＰ１から流入し湾曲部ＣＰを通って他方端ＥＰ２から流出する。湾曲部ＣＰは鉛直方向ＶＤにおいて下方に延びてから上方に延びているため、湯水は入水管２４ａに一方端ＥＰ１から流入し、湾曲部ＣＰを通る際に一旦下方に流れてから上方に流れた後に他方端ＥＰ２から流出する。また、湾曲部ＣＰは折り曲げ部ＶＰを有していてもよい。折り曲げ部ＶＰによって湾曲部ＣＰの経路の長さを長くすることができる。
【００４１】
湾曲部ＣＰは、下向部ＣＰ１と、中間部ＣＰ２と、上向部ＣＰ３とを有している。下向部ＣＰ１はバイパス路２６側に配置されている。下向部ＣＰ１は鉛直方向ＶＤにおいて下方に延びるように構成されている。中間部ＣＰ２は下向部ＣＰ１に接続されている。中間部ＣＰ２は下向部ＣＰ１よりも二次熱交換器２２側に配置されている。上向部ＣＰ３は、中間部ＣＰ２に接続されている。上向部ＣＰ３は、中間部ＣＰ２よりも二次熱交換器２２側に配置されている。上向部ＣＰ３は鉛直方向ＶＤにおいて上方に延びるように構成されている。下向部ＣＰ１と中間部ＣＰ２とは直角に接続されている。中間部ＣＰ２と上向部ＣＰ３とは直角に接続されている。
【００４２】
次に、本実施の形態の作用効果について、比較例と対比して説明する。なお、比較例の構成は特に説明しない限り上述の本実施の形態と同様であるため同一の要素については同一の符号を付し、その説明を繰り返さない。
【００４３】
図４および図５を参照して、比較例の給湯装置１は、入水管２４ａが湾曲部を有していない点で本実施の形態の給湯装置１と異なっている。比較例の給湯装置１では、給湯回路２での給湯および風呂追焚回路３での追焚きが同時に実行された状態から給湯が停止された際に、図中矢印で示すように給湯回路２を流れる湯水の慣性力によって第１の一次熱交換器２１からバイパス路２６を通って二次熱交換器２２に湯水が流れ込む。さらに、風呂追焚回路３での追焚きが実行されているため、バーナ１１によって給湯回路２の第１の一次熱交換器２１が熱せられ、給湯回路２の湯水が高温になる。また、給湯回路２の二次熱交換器２２が第１の一次熱交換器２１よりも上方に配置されているため、第１の一次熱交換器２１からバイパス路２６を通って二次熱交換器２２に高温の湯水が対流する。したがって、給湯回路２では給湯が停止されているにも関わらず給湯回路２の湯水が高温になる。このため、給湯回路２において給湯が停止された後に再度給湯が実行された際に設定温度よりも高温の湯水が出湯される。
【００４４】
これに対して、図１および図３に示すように本実施の形態の給湯装置１によれば、二次熱交換器２２とバイパス路２６との間に配置された入水路２４が鉛直方向において下方に延びてから上方に延びる湾曲部ＣＰを含んでいる。したがって、湾曲部ＣＰによって入水路２４の長さを長くすることができる。さらに、湯水を下方から上方に向かって流すことによって湯水を流れ難くすることができる。よって、給湯回路２での給湯が停止された際に、給湯回路２を流れる湯水の慣性力によって第１の一次熱交換器２１からバイパス路２６を通って二次熱交換器２２に流れ込む湯水が湾曲部ＣＰよりも二次熱交換器２２側に流れることを抑制できる。また、湾曲部ＣＰが鉛直方向において下方に延びるため、上方に移動する高温の湯水の対流を抑制できる。以上より、給湯回路２において給湯が停止された後に再度給湯が実行された際に設定温度よりも高温の湯水が出湯されることを抑制できる。
【００４５】
また、図２に示すように本実施の形態の給湯装置１においては、第１の一次熱交換器２１よりも鉛直方向において下方に湾曲部ＣＰの下端が位置している。このため、湾曲部ＣＰの下端を低い位置に配置することができる。これにより、湾曲部ＣＰの下端から上方に向かって湯水を流れ難くすることができる。また、湾曲部ＣＰの下端に高温の湯水が対流することを抑制できる。
【００４６】
また、本実施の形態の給湯装置１においては、湾曲部ＣＰはＵ字形状を有している。このため、湾曲部ＣＰは、底と、底の両側に接続された延在部とを有する。これにより、湾曲部ＣＰの長さを長くすることができる。
【００４７】
また図３に示すように本実施の形態の給湯装置１においては、湾曲部ＣＰの下向部ＣＰ１と中間部ＣＰ２とは直角に接続されており、中間部ＣＰ２と上向部ＣＰ３とは直角に接続されている。このため、下向部ＣＰ１から中間部ＣＰ２に湯水が回り込み難くすることができ、かつ中間部ＣＰ２から上向部ＣＰ３に湯水が回り込み難くすることができる。
【００４８】
また、図１に示すように本実施の形態の給湯装置１においては、風呂追焚回路３は、浴槽１００から取り込んだ浴槽水を第２の一次熱交換器３２を通して再び浴槽１００に供給可能に浴槽１００に接続されている。このため、浴槽水を追焚きすることができる。
【００４９】
今回開示された実施の形態はすべての点で例示であって制限的なものではないと考えられるべきである、本発明の範囲は上記した説明ではなくて特許請求の範囲によって示され、特許請求の範囲と均等の意味および範囲内でのすべての変更が含まれることが意図される。
【符号の説明】
【００５０】
１  給湯装置、１ａ  筐体、２  給湯回路、３  追焚回路、４  注湯回路、１０  缶体、１１  バーナ、１１ａ  燃料ノズル、１１ｂ  点火器、１２  送風機、１３  排気集合筒、１４  消音器、１５  中和器、１６  燃料配管、１７  流量調整弁、１８  ポンプ、２８，４３  水量センサ、２０ａ  入水口、２０ｂ  出湯口、２１  第１の一次熱交換器、２１ａ  受熱管、２２  二次熱交換器、２３  接続管、２４  入水路、２４ａ  入水管、２５  出湯路、２５ａ  出湯管、２６  バイパス路、２６ａ  バイパス管、２７  分配弁、２９，３６  温度センサ、３１，４１，５０  配管、３２  第２の一次熱交換器、３３  循環ポンプ、３４  水流スイッチ、３５  水位センサ、４２  注湯電磁弁、４４  逆止弁、４５  逆流防止弁、１００  浴槽、１０１  風呂戻り配管、１０２  風呂往き配管、１０３  循環アダプタ、２００  給湯栓、ＣＰ  湾曲部、ＣＰ１  下向部、ＣＰ２  中間部、ＣＰ３  上向部、ＥＰ  排気口、ＶＤ  鉛直方向、ＷＳ  水量サーボ。
【図１】
2016056990.tif 000003
【図２】
2016056990.tif 000004
【図３】
2016056990.tif 000005
【図４】
2016056990.tif 000006
【図５】
2016056990.tif 000007